(57)【要約】 【課題】印刷の際に使用するノズルの空吐出を適切に実行しつつ最大電力を低減する。【解決手段】本発明に係るインクジェット記録装置は、特定手段と空吐出制御手段とを備える。特定手段は、印刷対象の画像データから、複数の液滴吐出ヘッドの各々が有する複数のノズルのうち印刷に必要なノズルを、空吐出の対象として特定する。空吐出制御手段は、特定手段により特定されたノズルの数が閾値を超える場合は、同図に空吐出を実行するノズルの数が閾値を超えないよう、空吐出を複数回に分割して実行する制御を行う。【選択図】図５
2015174346.tif 000002
【特許請求の範囲】
【請求項１】
インクジェット記録装置であって、
印刷対象の画像データから、複数の液滴吐出ヘッドの各々が有する複数のノズルのうち印刷に必要な前記ノズルを、空吐出の対象として特定する特定手段と、
前記特定手段により特定された前記ノズルの数が閾値を超える場合は、同時に空吐出を実行する前記ノズルの数が前記閾値を超えないよう、空吐出を複数回に分割して実行する制御を行う空吐出制御手段と、を備える、
インクジェット記録装置。
【請求項２】
前記特定手段は、複数ページを印刷する場合、前ページにおける前記ノズルの使用頻度に基づいて、ページ間における空吐出の対象となる前記ノズルを特定する、
請求項１に記載のインクジェット記録装置。
【請求項３】
ページ間における空吐出を実行する前記ノズルの数を低減させるか否かを設定する第１設定部をさらに備える、
請求項２に記載のインクジェット記録装置。
【請求項４】
前記第１設定部は、ページ間における空吐出を実行する前記ノズルの数を低減させる場合に、どの程度低減させるかを設定する、
請求項３に記載のインクジェット記録装置。
【請求項５】
前記特定手段は、複数ページを印刷する場合、印刷開始から所定数のページにわたって連続で空吐出しが行われない前記ノズルを、強制的な空吐出を示す強制空吐出の対象として特定し、
前記空吐出制御手段は、前記特定手段により前記強制空吐出の対象として特定された前記ノズルの前記強制空吐出を実行する制御を行う、
請求項１乃至４のうちの何れか１項に記載のインクジェット記録装置。
【請求項６】
前記所定数を可変に設定する第２設定部をさらに備える、
請求項５に記載のインクジェット記録装置。
【請求項７】
前記空吐出制御手段は、同時に空吐出を実行する前記液滴吐出ヘッドの数が予め定めらえた値を超えないよう、各前記液滴吐出ヘッドの空吐出のタイミングを制御する、
請求項１乃至６のうちの何れか１項に記載のインクジェット記録装置。
【請求項８】
インクジェット記録装置の制御方法であって、
印刷対象の画像データから、複数の液滴吐出ヘッドの各々が有する複数のノズルのうち印刷に必要な前記ノズルを、空吐出の対象として特定する特定ステップと、
前記特定ステップにより特定された前記ノズルの数が閾値を超える場合は、同時に空吐出を実行する前記ノズルの数が前記閾値を超えないよう、空吐出を複数回に分割して実行する制御を行う空吐出制御ステップと、を含む、
制御方法。
【請求項９】
インクジェット記録装置を、
印刷対象の画像データから、複数の液滴吐出ヘッドの各々が有する複数のノズルのうち印刷に必要な前記ノズルを、空吐出の対象として特定する特定手段と、
前記特定手段により特定された前記ノズルの数が閾値を超える場合は、同時に空吐出を実行する前記ノズルの数が前記閾値を超えないよう、空吐出を複数回に分割して実行する制御を行う空吐出制御手段として機能させる、
プログラム。
【発明の詳細な説明】
【技術分野】
【０００１】
本発明は、インクジェット記録装置、制御方法およびプログラムに関する。
【背景技術】
【０００２】
ライン式プリンタでは、シリアル機と比較してヘッドの駆動周波数が低く、印刷時にヘッド駆動回路にかかる負荷は小さいため、印字中の負荷のみを考えれば、駆動回路をより小型化、低コスト化ができる。しかし、メンテナンスのために行う空吐出をシリアル機と同様に行うと負荷が大きいため、空吐出の負荷を低減しないと、駆動回路の小型化・低コスト化はできない。そこで、印刷を行う際に受信した画像データから、空吐出に必要なノズルを判断し、その空吐出に必要な電力を計算し、電力が一定値以上となる場合は、電力が一定値を超えないように空吐出を行うノズル数の比率を設定する技術が考えられ、既に知られている（例えば特許文献１参照）。
【発明の概要】
【発明が解決しようとする課題】
【０００３】
しかしながら、電力が一定値を超えないように空吐出を行うノズル数の比率を設定するという従来構成では、最大電力を低くすることはできるが、印刷の際に使用するノズルでも、空吐出が行われなくなる可能性があるという問題があった。
【０００４】
本発明は、上記に鑑みてなされたものであって、印刷の際に使用するノズルの空吐出を適切に実行しつつ最大電力を低減することが可能なインクジェット記録装置、制御方法およびプログラムを提供することを目的とする。
【課題を解決するための手段】
【０００５】
上述した課題を解決し、目的を達成するために、本発明は、インクジェット記録装置であって、印刷対象の画像データから、複数の液滴吐出ヘッドの各々が有する複数のノズルのうち印刷に必要な前記ノズルを、空吐出の対象として特定する特定手段と、前記特定手段により特定された前記ノズルの数が閾値を超える場合は、同時に空吐出を実行する前記ノズルの数が前記閾値を超えないよう、空吐出を複数回に分割して実行する制御を行う空吐出制御手段と、を備える。
【発明の効果】
【０００６】
本発明によれば、印刷の際に使用するノズルの空吐出を適切に実行しつつ最大電力を低減することができる。
【図面の簡単な説明】
【０００７】
【図１】図１は、実施形態のインクジェット記録装置の全体構成を示す図である。
【図２】図２は、ラインプリンタのヘッドの配置の一例を示す図である。
【図３】図３は、印刷する画像と空吐出するノズルの位置関係を表す図である。
【図４】図４は、空吐出を複数回に分割して行う方法を説明するための図である。
【図５】図５は、空吐出制御のシステム構成の一例を示す図である。
【図６】図６は、空吐出制御の一例を示すフローチャートである。
【図７】図７は、複数ページを印刷する場合の、ページ間で空吐出するノズルの低減方法を示す図である。
【図８】図８は、ページ間において空吐出するノズルの決定方法を説明するための図である。
【図９】図９は、ページ間における空吐出を実行するノズルの数を低減させるか否かを設定する機能を説明するための図である。
【図１０】図１０は、ノズルの数をどの程度低減させるのかのレベルを設定する機能を説明するための図である。
【図１１】図１１は、複数ページを印刷する場合に、最後のページしか使用しないノズルがある場合を説明するための図である。
【図１２】図１２は、強制空吐出の対象となるノズルの決定方法を説明するための図である。
【図１３】図１３は、強制的に空吐出させる頻度を設定する機能を説明するための図である。
【図１４】図１４は、ヘッドごとの空吐出のタイミング制御の一例を示す図である。
【発明を実施するための形態】
【０００８】
以下、添付図面を参照しながら、本発明に係るインクジェット記録装置、制御方法およびプログラムの実施形態を詳細に説明する。
【０００９】
（第１実施形態）
図１は、本実施形態のインクジェット記録装置１の全体構成を示す図である。インクジェット記録装置１は、１ライン上に印字幅分のインクヘッド（液滴吐出ヘッド、以下の説明では単に「ヘッド」と称する場合がある）を固定して配置し、搬送されてきた記録用紙（記録媒体の一例）に印字するラインプリンタである。インクジェット記録装置１に設けられる複数のヘッドの各々は、液滴を吐出するための複数のノズルを有している。
【００１０】
インクジェット記録装置１は、装置本体と、装置本体に装着した、記録媒体である用紙を装填するための給紙トレイ１０と、装置本体に装着され、画像が記録（形成）された用紙をストックするための排紙トレイ１１とを備え、さらに、装置本体の前面の一端部側には、前面から前方側に突き出し、上面よりも低くなったカートリッジ装填部１２を有し、このカートリッジ装填部１２の上面に操作キーや表示器などの操作部を配置している。
【００１１】
給紙トレイ１０の用紙積載部（圧板）上に積載した用紙を給紙するための給紙部として、用紙積載部から用紙を１枚ずつ分離給送する半月コロ（給紙コロ）１３及び給紙コロ１３に対向し、摩擦係数の大きな材質からなる分離パッド１４を備え、この分離パッド１４は給紙コロ１３側に付勢されている。
【００１２】
そして、この給紙部から給紙された用紙をヘッド１５の下方側で搬送するための搬送部として、用紙を静電吸着して搬送するための搬送ベルト１６と、給紙部からガイドを介して送られる用紙を搬送ベルト１６との間で挟んで搬送するためのカウンタローラと、略鉛直上方に送られる用紙を略９０°方向転換させて搬送ベルト上に倣わせるための搬送ガイド１７と、押さえ部材で搬送ベルト側に付勢された先端加圧コロ１８とを備えている。また、搬送ベルト表面を帯電させるための帯電手段である帯電ローラ１９を備えている。
【００１３】
ここで、搬送ベルト１６は、無端状ベルトであり、搬送ローラ２０とテンションローラ２１との間に掛け渡されて、ベルト搬送方向に周回するように構成している。帯電ローラ１９は、搬送ベルト１６の表層に接触し、搬送ベルト１６の回動に従動して回転するように配置され、加圧力として軸の両端に各２．５Ｎ（一例）をかけている。また、搬送ベルト１６の裏側には、記録ヘッドによる印写領域に対応してガイド部材を配置している。このガイド部材は、上面が搬送ベルト１６を支持する２つのローラ（搬送ローラ２０とテンションローラ２１）の接線よりも記録ヘッド側に突出している。これにより、搬送ベルト１６は印写領域ではガイド部材の上面にて押し上げられてガイドされるので、高精度な平面性を維持される。
【００１４】
さらに、このガイド部材の搬送ベルト１６の裏面と接触する面側には、主走査方向、すなわち搬送方向と直交する方向に複数の溝を形成して、搬送ベルト１６との接触面積を少なくし、搬送ベルト１６がスムーズにガイド部材表面に沿って移動できるようにしている。さらに、記録ヘッドで記録された用紙を排紙するための排紙部として、搬送ベルト１６から用紙を分離するための分離爪と、排紙ローラ及び排紙コロとを備え、排紙ローラの下方に排紙トレイ１１を備えている。ここで、排紙ローラと排紙コロとの間から排紙トレイ１１までの高さは排紙トレイ１１にストックできる量を多くするためにある程度高くしている。また、装置本体の背面部には両面給紙ユニット２２が着脱自在に装着されている。この両面給紙ユニット２２は搬送ベルト１６の逆方向回転で戻される用紙を取り込んで反転させて再度カウンタローラと搬送ベルト１６との間に給紙する。また、この両面給紙ユニット２２の上面には手差し給紙部を設けている。
【００１５】
ここで、ラインプリンタでは、図２に示すように、複数個のヘッド１５が主走査方向に並んで配置されている。ヘッド１５の数が一つのシリアルプリンタでは、ヘッド１５が主走査方向を移動して印字していくが、ラインプリンタでは、主走査方向に並んだ複数のヘッド１５が動かずに、予め定められた位置でインクを吐出することにより印刷を行う。シリアルプリンタでは一つのヘッド１５が印字部分全体を印刷するが、ラインプリンタでは、ヘッド１５一つ当たりの印字部分はシリアルプリンタと比較して小さいため、ヘッド１５の駆動周波数も小さくなる。
【００１６】
図３は、印刷する画像と空吐出するノズルの位置関係を表す模式図である。図３の例では、主走査方向の左側に配置されるヘッド１５から順番に、第１番目のヘッド１５−１、第２番目のヘッド１５−２、第３番目のヘッド１５−３といった具合に表記し、これらを互いに区別しない場合は、単に「ヘッド１５」と称する。図３の例では、８つのヘッド１５が例示されているが、インクジェット記録装置１に設けられるヘッド１５の数は、これに限られるものではない。
【００１７】
図３の例では、各ヘッド１５において、ＹＭＣＫの４列のノズルが円で表されており、空吐出の対象となるノズルは、塗りつぶしで示されている。図３のような画像を印刷する場合、ヘッド１５の位置によっては、全てのノズルを印刷に使用するヘッド１５もあれば、１色のみ、もしくは各色につき１つのノズルのみを使用するヘッド１５なども存在するため、全てのノズルの空吐出を実行する必要はない。そのため、本実施形態では、外部から送られてきた印刷データ（印刷ジョブ）に含まれる画像データ（印刷対象の画像データ）から、各ノズルについて印刷に必要であるか否か（印刷に関与するか否か）を判断し、印刷に必要なノズルのみを空吐出の対象となるノズルとして特定し、特定したノズルのみを空吐出させるように制御する。
【００１８】
図４は、図３に示す第４番目のヘッド１５−４を例として、空吐出を複数回に分割して行う方法を模式的に示す図である。ここでは、同時に空吐出を実行可能なノズルの数を示す閾値を予め設定しておき、空吐出の対象となるノズルの数が閾値を超える場合は、同時に空吐出を実行するノズルの数が閾値を超えないように分割して空吐出を実行する。図４の例では、閾値が「２２」であり、空吐出の対象となるノズルの数が５９個である場合における空吐出の実行方法を示している。この例では、空吐出の対象となる５９個のノズルを、２２個、２２個、１５個の３つのグループ（グループ１、グループ２、グループ３）に分割し、まずグループ１に属する２２個のノズルの空吐出を同時に実行し、次に、グループ２に属する２２個のノズルの空吐出を同時に実行し、次に、グループ３に属する１５個のノズルの空吐出を同時に実行するという具合である。このように、同時に空吐出を実行するノズルの数が２２個を超えないように分割して空吐出を実行している。これにより、ヘッド駆動回路（ヘッドドライバ）で消費する最大電力を低減することができる。
【００１９】
図５は、本実施形態の空吐出制御のシステム構成の一例を示す図である。図５に示すように、インクジェット記録装置１は、ＡＳＩＣ３０と、メモリＩＣ４０と、ヘッドドライバ５０と、ヘッド１５とを備える。なお、図５の例では、インクジェット記録装置１が有する機能として、本発明に係る機能を主に例示しているが、インクジェット記録装置１が有する機能は、これらに限られるものではない。
【００２０】
まず、外部のＰＣ６０から印刷に必要なデータを示す印刷データがインクジェット記録装置１に送られ、ＡＳＩＣ３０で読み込む。ＡＳＩＣ３０は、ＰＣ６０から送られてきた印刷データに含まれる画像データ（印刷対象の画像データ）をメモリＩＣ４０に書き込み、格納する。その後、ＡＳＩＣ３０は、メモリＩＣ４０に格納された画像データから、どのヘッド１５のどのノズルが印刷に必要であるかを判断し、印刷に必要なノズルのみを、空吐出の対象として特定する。この例では、ＡＳＩＣ３０は、請求項の「特定手段」に対応する機能を有していると考えることができる。また、ＡＳＩＣ３０は、空吐出の対象として特定したノズルの数が閾値を超えているか否かを判断し、空吐出の対象として特定したノズルの数が閾値を超えている場合は、同時に空吐出を実行するノズルの数が閾値を超えないよう、空吐出を複数回に分割して実行する制御を行う。この例では、ＡＳＩＣ３０は、ヘッド１５の各ノズルの駆動波形を示す信号、および、ヘッド制御信号をヘッドドライバ５０へ送り、ヘッドドライバ５０は、ＡＳＩＣ３０からの信号に従って、各ヘッド１５のノズルを駆動する。この例では、ＡＳＩＣ３０は、請求項の「空吐出制御手段」に対応する機能を有していると考えることができる。
【００２１】
なお、請求項の「特定手段」に対応する機能、および、請求項の「空吐出制御手段」に対応する機能の各々は、専用のハードウェア回路（例えば半導体集積回路等）により実現されてもよいし、ソフトウェアにより実現されてもよいし、これらの組み合わせによって実現されてもよい。
【００２２】
ソフトウェアにより上記機能を実現する場合は、インクジェット記録装置１に搭載されたＣＰＵがＲＯＭ等に格納されたプログラムを実行することで、上記機能を実現することができる。なお、インクジェット記録装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、インクジェット記録装置１で実行されるプログラムを、インターネット等のネットワークに接続されたコンピュータ上に格納し、ネットワーク経由でダウンロードさせることにより提供するように構成してもよい。また、インクジェット記録装置１で実行されるプログラムをインターネット等のネットワーク経由で提供または配布するように構成してもよい。
【００２３】
図６は、本実施形態の空吐出制御の一例を示すフローチャートである。まず、ＡＳＩＣ３０は、上述したように、印刷対象の画像データから、複数のヘッド１５の各々が有する複数のノズルのうち印刷に必要なノズルを、空吐出の対象として特定する（ステップＳ１）。次に、ＡＳＩＣ３０は、空吐出の対象となるノズルの数Ｎが、同時に空吐出を実行可能なノズルの最大数を示す閾値Ｎｍａｘ以下であるか否かを判断する（ステップＳ２）。ステップＳ１で特定したノズルの数Ｎが閾値Ｎｍａｘ以下である場合（ステップＳ２：Ｙｅｓ）、ＡＳＩＣ３０は、まだ空吐出を実行していないＮ個のノズルについて空吐出を実行する制御を行う（ステップＳ３）。一方、ステップＳ１で特定したノズルの数Ｎが閾値Ｎｍａｘを超える場合（ステップＳ２：Ｎｏ）、ＡＳＩＣ３０は、まだ空吐出を実行していないノズルの中からＮｍａｘ個のノズルについて空吐出を実行する制御を行う（ステップＳ４）。そして、その時点での対象ノズル（空吐出の対象となるノズル）の数Ｎから閾値Ｎｍａｘに相当する数を差し引いた値を、最新の対象ノズルの数Ｎとして設定し（ステップＳ５）、上述のステップＳ２以降の処理を繰り返す。
【００２４】
以上に説明したように、本実施形態では、印刷対象の画像データから、各ヘッド１５が有する複数のノズルのうち印刷に必要なノズルを、空吐出の対象として特定し、その特定したノズルの数が閾値を超える場合は、同時に空吐出を実行するノズルの数が閾値を超えないよう、空吐出を複数回に分割して実行する制御を行う。これにより、印刷の際に使用するノズルの空吐出を適切に実行しつつヘッドドライバ５０の最大電力を低減することができるという有利な効果を達成することができる。
【００２５】
（第２実施形態）
第２実施形態では、複数ページを印刷する場合、前ページにおけるノズルの使用頻度に基づいて、ページ間における空吐出の対象となるノズルを特定する。より具体的には以下のとおりである。図７は、複数ページを印刷する場合の、ページ間で空吐出するノズルの低減方法を示す図である。図７において、空吐出するノズルは、塗りつぶしで表されている。図７の例では、２ページ目の画像を印刷するためには、ａ−ｃの間に存在する全てのｋ（ブラック）のノズルを使用することになる。しかし、ａ−ｂの間のｋのノズルは、１ページ目の印刷をする際の使用頻度が高くなっている。そのため、ａ−ｂの間のノズルはページ間における空吐出を行わず、１ページ目での使用頻度が低いｂ−ｃの間のノズルのみページ間における空吐出を行うように制御する。このように制御することによって、空吐出するノズルの数をさらに低減することができる。
【００２６】
図８は、ページ間において空吐出するノズルの決定方法を説明するための図である。ＡＳＩＣ３０は、複数ページを印刷する際に、図８の表のように、印刷対象の画像データから各ヘッド１５のノズルごとに前ページで印刷したドット数をカウントして不図示のメモリに記録しておく。そして、ＡＳＩＣ３０は、ノズルごとに、カウント数と予め決定しておいた数値とを比較し、カウント数の方が低い場合、そのノズルをページ間において空吐出するノズルとして設定する。
【００２７】
（第３実施形態）
第３実施形態では、インクジェット記録装置１は、ページ間における空吐出を実行するノズルの数を低減させるか否かを設定する機能（請求項の「第１設定部」に対応する機能）をさらに備える。この例では、上記機能はＡＳＩＣ３０に搭載されているが、これに限られるものではない。
【００２８】
本実施形態では、図９に示すように、プリンタドライバ上にページ間における空吐出を実行するノズルの数を低減させるか否かを設定する項目が設けられている。図９に示すように、ユーザが、プリンタドライバ上のチェックボックス（ページ間における空吐出を実行するノズルの数を低減させるか否かを選択するためのチェックボックス）７０にチェックを入れた場合は、インクジェット記録装置１（ＡＳＩＣ３０）は、ページ間における空吐出を実行するノズルの数を低減させる制御を行う一方、チェックを入れない場合は、ページ間における空吐出を実行するノズルの数を低減させる制御を行わず、次のページの印刷で使用するノズル全てを空吐出の対象として特定（設定）する。
【００２９】
（第３実施形態の変形例）
例えばインクジェット記録装置１（ＡＳＩＣ３０）は、ページ間における空吐出を実行するノズルの数を低減させる場合に、どの程度低減させるかを設定することもできる。図１０に示すように、ページ間における空吐出を実行するノズルの数を低減させることが選択された場合（チェックボックス７０にチェックが入れられた場合）、プリンタドライバ上に、ノズルの数をどの程度低減させるかのレベル（低減レベル）を設定するための項目を設ける。例えば低減レベルとして、「高」、「中」、「低」の三段階に設定できるようにし、例えば「高」に設定した場合は、各ノズルのカウント数と比較する上述の数値を「１００」に設定し、前ページでの印刷ドット数（カウント数）が１００以下のノズルについては、ページ間において空吐出するノズルとして設定することができる。同様にして、「中」に設定した場合は上述の数値を「３００」に設定し、前ページでの印刷ドット数（カウント数）が３００以下のノズルについては、ページ間において空吐出するノズルとして設定することができる。同様にして、「低」に設定した場合は上述の数値を「５００」に設定し、前ページでの印刷ドット数（カウント数）が５００以下のノズルについては、ページ間において空吐出するノズルとして設定することができる。
【００３０】
（第４実施形態）
第４実施形態では、ＡＳＩＣ３０は、複数ページを印刷する場合、印刷開始から所定数のページにわたって連続で空吐出しが行われないノズルを、強制的な空吐出を示す強制空吐出の対象として特定し、その特定したノズルの強制空吐出を実行する制御を行う。図１１は、複数ページを印刷する場合に、最後のページ（図１１の例では４ページ目）しか使用しないノズルがある場合を説明する図である。図１１に示すように、４ページを印刷する場合、４ページ目でしか使用しないノズルが存在する。この４ページ目でしか使用されないノズルについては、４ページ目を印刷する直前の３−４ページ間でしか空吐出が行われないため、印刷開始から空吐出が行われない期間が長くなり、正常に吐出（インクの吐出）ができなくなる可能性が高くなる。そのため、本実施形態では、印刷開始から所定数のページにわたって連続で空吐出しが行われないノズルについては、強制的に空吐出するように制御する。
【００３１】
図１２は、強制空吐出の対象となるノズルの決定方法を説明するための図である。ＡＳＩＣ３０は、図１２のように、ヘッドごとの各ノズルについて、何ページ連続で空吐出していないかをカウントして不図示のメモリに記録しておく。ただし、その印刷ジョブの中で一度も使用されないノズル（印刷に関与しないノズル）についてはカウントしないようにする（図１２では「−」と表記）。ＡＳＩＣ３０は、ノズルごとに、カウントした結果と予め決定したおいた数値（上記所定数を示す数値）とを比較し、カウント数が上記所定数を示す数値よりも大きい場合は、そのノズルを強制空吐出の対象として特定し、強制空吐出を実行する制御を行う。
【００３２】
（第４実施形態の変形例）
例えばインクジェット記録装置１は、上記所定数を示す数値を可変に設定する機能（請求項の「第２設定部」に対応する機能）をさらに備えることもできる。この例では、上記機能はＡＳＩＣ３０に搭載されているが、これに限られるものではない。
【００３３】
例えば図１３に示すように、プリンタドライバ上に、強制的に空吐出させる頻度を設定する項目（上記所定数を示す数値を設定する項目）を設ける。このようにして、プリンタドライバ上で、何ページ連続で空吐出していない場合は、強制的に空吐出させるかを設定できるようにし、ユーザが自由に強制空吐出の頻度を設定できるようにする。
【００３４】
（第５実施形態）
第５実施形態では、ＡＳＩＣ３０は、同時に空吐出を実行するヘッド１５の数が予め定めらえた値を超えないよう、各ヘッド１５の空吐出のタイミングを制御する。図１４は、ヘッド１５ごとの空吐出のタイミング制御の一例を示す図である。空吐出を分割した結果、図１４に示す例１および例２において、図の矢印の左側のような状態になった場合を想定する。図の矢印の左側のような状態で空吐出した場合、一つの区間で全てのヘッド１５が空吐出する場合があり、電源にかかる負荷が増大する。そのため、本実施形態では、一つの区間で空吐出可能なヘッド１５の数を予め設定しておき、ＡＳＩＣ３０は、その数を上回らないように、ヘッド１５ごとの空吐出のタイミングを制御する。例えば一つの区間で空吐出可能なヘッド１５の数の最大値を「４」とした場合、図の矢印の右側のように空吐出のタイミングを分散させることにより、電源にかかる最大負荷を低減させることができる。
【００３５】
以上、本発明に係る実施形態を説明したが、本発明は、上述の各実施形態そのままに限定されるものではなく、実施段階ではその要旨を変更しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、上述の各実施形態および変形例は任意に組み合わせることもできる。
【符号の説明】
【００３６】
１    インクジェット記録装置
１０  給紙トレイ
１１  排紙トレイ
１２  カートリッジ装填部
１３  給紙コロ
１４  分離パッド
１５  ヘッド
１６  搬送ベルト
１７  搬送ガイド
１８  先端加圧コロ
１９  帯電ローラ
２０  搬送ローラ
２１  テンションローラ
２２  両面給紙ユニット
３０  ＡＳＩＣ
４０  メモリＩＣ
５０  ヘッドドライバ
６０  ＰＣ
【先行技術文献】
【特許文献】
【００３７】
【特許文献１】特開２００２−１１３８４７号公報
【図１】
2015174346.tif 000003
【図２】
2015174346.tif 000004
【図５】
2015174346.tif 000005
【図６】
2015174346.tif 000006
【図８】
2015174346.tif 000007
【図９】
2015174346.tif 000008
【図１０】
2015174346.tif 000009
【図１３】
2015174346.tif 000010
【図１４】
2015174346.tif 000011
【図３】
2015174346.tif 000012
【図４】
2015174346.tif 000013
【図７】
2015174346.tif 000014
【図１１】
2015174346.tif 000015
【図１２】
2015174346.tif 000016